(57)【要約】【課題】外部回路の色選択スイッチの高速化を不要とするとともに、時間的に隣り合う色の異なる画素信号による混色の少ない固体撮像装置を提供する。【解決手段】複数の画素１が二次元状に、色配列が異なる複数行をグループ単位として配列された撮像部と、撮像部からの画素信号が蓄積される行メモリー部４と、蓄積された信号が読み出される複数の出力信号線とを備える。グループ内の画素信号を読み出す際に、第１の行の画素信号を行メモリー部に蓄積して、第１の色の、隣接しない複数画素から得られる各画素信号を順次第１の出力信号線６ａに読み出し、第２の色の、隣接しない複数画素から得られる各画素信号を順次第２の出力信号線６ｂに読み出す。第２の行において第１の行とは異なる列に配置された第１の色の画素の画素信号を、行メモリー部内の第１の行の第１の色が蓄積されていた位置に蓄積した後、第１の出力信号線に読み出す。【選択図】  図１
2004221771.tif 000002
【特許請求の範囲】
【請求項１】
入射光を光電変換する複数の単位画素が二次元状に、色配列の異なる複数の行をグループ単位として少なくとも一グループが配列された撮像部と、前記撮像部における少なくとも一行の画素信号が蓄積される行メモリー部と、前記行メモリー部に蓄積された画素信号が読み出される出力信号線と、前記出力信号線の信号が出力される出力部とを備えた固体撮像装置において、
前記出力信号線及び出力部を複数組有し、前記各グループにおける各行の画素信号を読み出す際に、
第１の行における各画素の画素信号を前記行メモリー部に蓄積して、第１の色の、隣接しない複数画素から得られる各画素信号を順次連続して第１の前記出力信号線に読み出すとともに、前記第１の色とは異なる同一色の、隣接しない複数画素から得られる各画素信号を順次連続して第２の前記出力信号線に読み出し、前記第１の行と色配列が異なる第２の行の前記画素信号を読み出す際、前記第２の行において前記第１の色の画素が前記第１の行における前記第１の色の画素とは異なる列に配置されている場合に、前記第２の行における前記第１の色の少なくとも一つの画素の画素信号を、前記第１の行内の前記第１の色が蓄積されていた前記行メモリー部内の蓄積位置に蓄積した後、前記第１の出力信号線に読み出すことを特徴とする固体撮像装置。
【請求項２】
入射光を光電変換する複数の単位画素が二次元状に、色配列の異なる複数の行をグループ単位として少なくとも一グループが配列された撮像部と、前記撮像部における少なくとも一行の画素信号が蓄積される行メモリー部と、前記行メモリー部に蓄積された画素信号が読み出される出力信号線と、前記出力信号線の信号が出力される出力部とを備えた固体撮像装置において、
前記出力信号線及び出力部を複数組有し、前記各グループにおける各行の画素信号を読み出す際に、
第１の行における前記複数の色の各画素の画素信号を前記行メモリー部に蓄積して、蓄積された前記各画素信号を各色別に異なる前記出力信号線に読み出し、その後、前記第１の行と色配列が異なる第２の行の前記画素信号を読み出す際、前記第２の行において前記第１の色の画素が前記第１の行における前記第１の色の画素とは異なる列に配置されている場合に、前記第２の行における前記第１の色の少なくとも一つの画素の画素信号を、前記第１の行内の前記第１の色が蓄積されていた前記行メモリー部内の蓄積位置に蓄積した後、前記第１の出力信号線に読み出すことを特徴とする固体撮像装置。
【請求項３】
前記第１の行における全ての前記第１の色の画素の画素信号を同時に前記行メモリー部に蓄積し、前記第１の出力信号線に順次読み出した後、前記第２の行における全ての前記第１の色の画素の画素信号を同時に前記行メモリー部に蓄積する請求項１または２記載の固体撮像装置。
【請求項４】
入射光を光電変換する複数の単位画素が二次元状に、色配列の異なる複数の列をグループ単位として少なくとも一グループが配列された撮像部と、前記撮像部における少なくとも一列の画素信号が蓄積される列メモリー部と、前記列メモリー部に蓄積された画素信号が読み出される出力信号線と、前記出力信号線の信号が出力される出力部とを備えた固体撮像装置において、
前記出力信号線及び出力部を複数組有し、前記各グループにおける各列の画素信号を読み出す際に、
第１の列における各画素の画素信号を前記列メモリー部に蓄積して、第１の色の、隣接しない複数画素から得られる各画素信号を順次連続して第１の前記出力信号線に読み出すとともに、前記第１の色とは異なる同一色の、隣接しない複数画素から得られる各画素信号を順次連続して第２の前記出力信号線に読み出し、前記第１の列と色配列が異なる第２の列の前記画素信号を読み出す際、前記第２の列において前記第１の色の画素が前記第１の列における前記第１の色の画素とは異なる行に配置されている場合に、前記第２の列における前記第１の色の少なくとも一つの画素の画素信号を、前記第１の列内の前記第１の色が蓄積されていた前記列メモリー部内の蓄積位置に蓄積した後、前記第１の出力信号線に読み出すことを特徴とする固体撮像装置。
【請求項５】
入射光を光電変換する複数の単位画素が二次元状に、色配列の異なる複数の列をグループ単位として少なくとも一グループが配列された撮像部と、前記撮像部における少なくとも一列の画素信号が蓄積される列メモリー部と、前記列メモリー部に蓄積された画素信号が読み出される出力信号線と、前記出力信号線の信号が出力される出力部とを備えた固体撮像装置において、
前記出力信号線及び出力部を複数組有し、前記各グループにおける各列の画素信号を読み出す際に、
第１の列における前記複数の色の各画素の画素信号を前記列メモリー部に蓄積して、蓄積された前記各画素信号を各色別に異なる前記出力信号線に読み出し、その後、前記第１の列と色配列が異なる第２の列の前記画素信号を読み出す際、前記第２の列において前記第１の色の画素が前記第１の列における前記第１の色の画素とは異なる行に配置されている場合に、前記第２の列における前記第１の色の少なくとも一つの画素の画素信号を、前記第１の列内の前記第１の色が蓄積されていた前記列メモリー部内の蓄積位置に蓄積した後、前記第１の出力信号線に読み出すことを特徴とする固体撮像装置。
【請求項６】
前記第１の列における全ての前記第１の色の画素の画素信号を同時に前記列メモリー部に蓄積し、前記第１の出力信号線に順次読み出した後、前記第２の列における全ての前記第１の色の画素の画素信号を同時に前記列メモリー部に蓄積する請求項４または５記載の固体撮像装置。
【請求項７】
請求項１から６のいずれか１項に記載の固体撮像装置を搭載したカメラまたはカメラシステム。
【発明の詳細な説明】
【０００１】
【発明の属する技術分野】
本発明は、入射光を光電変換するための単位画素が二次元状に配列された固体撮像装置、およびそれを用いたデジタルスチルカメラ、動画カメラ等のカメラあるいはカメラシステムに関する。
【０００２】
【従来の技術】
従来のデジタルスチルカメラ等に用いられる固体撮像装置においては、光電変換用の各画素から得られる画素信号を、例えば行毎に蓄積部に転送して蓄積し、次に水平シフトレジスタから出力される読み出しパルスに同期して、行毎の画素信号を順次出力する（例えば特許文献１参照）。
【０００３】
図３は、従来例のＭＯＳ型固体撮像装置８（一部のみを図示）及び外部回路９の構成を示す。固体撮像装置８は、二次元状に配列された画素１と、列方向に画素を選択する垂直シフトレジスタ２と、列方向の垂直信号線３と、各行の信号を蓄積する行メモリー部４と、行メモリー部４を選択するための水平シフトレジスタ５と、水平シフトレジスタ５の出力により駆動される読み出しスイッチ１５と、各行毎に画素信号を出力する出力信号線６と、出力アンプ７とから構成されている。外部回路９は、固体撮像装置８から出力される画素信号を色毎に蓄積する外部メモリー１０と、色選択スイッチ１１とから構成されている。
【０００４】
この固体撮像装置８は、赤（Ｒ）、緑（Ｇ）、青（Ｂ）の３原色の画素１を、ベイヤー配列したものである。各行の画素１の信号は、垂直シフトレジスタ２により、行毎に垂直信号線３に読み出された後、行メモリー部４に転送される。行メモリー部４内にある画素信号は、読み出しスイッチ１５を介して、水平シフトレジスタ５から出力される読み出しパルスＳ１〜Ｓ６の順に、順次出力信号線６に転送され、出力アンプ７から出力される。出力アンプ７からの出力信号は、外部回路９に入力され、色選択スイッチ１１により色別に切り替えられて外部メモリー１０に蓄積された後、画像処理が行なわれる。
【０００５】
【特許文献１】
特開２００１−４５３７８号公報（図１３、図１４）
【０００６】
【発明が解決しようとする課題】
図４は、上記ＭＯＳ型固体撮像装置の出力アンプ７からの出力波形を示す。ｎ行目の画素信号は図４（ａ）に示すように、水平信号伝送回路５からの読み出しパルスＳ１〜Ｓ６が順次にオンすることにより、Ｇ２（ｎ）、Ｂ（ｎ）、Ｇ２（ｎ）、Ｂ（ｎ）、Ｇ２（ｎ）、Ｂ（ｎ）の順番でアンプ７から出力される。ｎ＋１行目の画素信号は図４（ｂ）に示すように、Ｒ（ｎ＋１）、Ｇ１  （ｎ＋１）、Ｒ（ｎ＋１）、Ｇ１（ｎ＋１）  、Ｒ（ｎ＋１）、Ｇ１（ｎ＋１）  の順番でアンプ７から出力される。その際、出力アンプ７の出力信号中では、異なる色の画素信号が隣接する。従って、外部回路９においては、色選択スイッチ１１により出力信号を色毎に高速で選別し、外部メモリー１０に各色別に転送する必要がある。図３の構成の場合、１行の画像信号を外部メモリー１０に転送するためには、例えばｎ行とｎ＋１行の画素信号に対して、２つの色選択スイッチ１１を１２回切り換える必要がある。
【０００７】
また、出力信号は時間的に隣の信号の影響を受けやすいため、混色する可能性があり画質劣化が発生する。特に、信号出力を高速化した時には、外部回路９の色選択スイッチ１１の高速化や混色の防止が必要となってくる。
【０００８】
本発明は、上記の問題点に鑑みてなされたものであり、信号出力を高速化した時でも、外部回路の色選択スイッチの高速化を不要とし、混色の少ない固体撮像装置を提供することを目的とする。
【０００９】
【課題を解決するための手段】
本発明の固体撮像装置は、入射光を光電変換する複数の単位画素が二次元状に、色配列の異なる複数の行をグループ単位として少なくとも一グループが配列された撮像部と、前記撮像部における少なくとも一行の画素信号が蓄積される行メモリー部と、前記行メモリー部に蓄積された画素信号が読み出される出力信号線と、前記出力信号線の信号が出力される出力部とを備える。
【００１０】
上記課題を解決するために、前記出力信号線及び出力部を複数組有し、前記各グループにおける各行の画素信号を読み出す際に、第１の行における各画素の画素信号を前記行メモリー部に蓄積して、第１の色の、隣接しない複数画素から得られる各画素信号を順次連続して第１の前記出力信号線に読み出すとともに、前記第１の色とは異なる同一色の、隣接しない複数画素から得られる各画素信号を順次連続して第２の前記出力信号線に読み出し、前記第１の行と色配列が異なる第２の行の前記画素信号を読み出す際、前記第２の行において前記第１の色の画素が前記第１の行における前記第１の色の画素とは異なる列に配置されている場合に、前記第２の行における前記第１の色の少なくとも一つの画素の画素信号を、前記第１の行内の前記第１の色が蓄積されていた前記行メモリー部内の蓄積位置に蓄積した後、前記第１の出力信号線に読み出す構成とする。
【００１１】
【発明の実施の形態】
上記構成の本発明の固体撮像装置によれば、固体撮像装置の同一行において、異なる色をそれぞれ異なる出力部から並列に読み出すことができ、信号読み出しの高速化を図ることができる。また、色配列が異なる各行の画素信号について、同一の色の画素信号は、行メモリー部の同一の蓄積位置、同一の出力信号線、同一の出力アンプを通して読み出すため、行メモリー、出力信号線、出力アンプ部のバラツキの影響を受けることがなく、高画質を実現することができる。また、同一の色の画素信号が連続して固体撮像装置から出力されるので、色の切り換えを行なう外部回路の色選択スイッチの切り換えは低速でよく、固体撮像装置の高速出力が可能となる。また、隣接する画素信号が同色であるため、隣の画素信号の影響による混色が少なく、高画質化を実現することができる。
【００１２】
各グループにおける画素信号を読み出すための構成を、以下のようにすることもできる。すなわち、前記出力信号線及び出力部を複数組有し、前記各グループにおける各行の画素信号を読み出す際に、第１の行における前記複数の色の各画素の画素信号を前記行メモリー部に蓄積して、蓄積された前記各画素信号を各色別に異なる前記出力信号線に読み出し、その後、前記第１の行と色配列が異なる第２の行の前記画素信号を読み出す際、前記第２の行において前記第１の色の画素が前記第１の行における前記第１の色の画素とは異なる列に配置されている場合に、前記第２の行における前記第１の色の少なくとも一つの画素の画素信号を、前記第１の行内の前記第１の色が蓄積されていた前記行メモリー部内の蓄積位置に蓄積した後、前記第１の出力信号線に読み出す構成とする。
【００１３】
上記の構成において、前記第１の行における全ての前記第１の色の画素の画素信号を同時に前記行メモリー部に蓄積し、前記第１の出力信号線に順次読み出した後、前記第２の行における全ての前記第１の色の画素の画素信号を同時に前記行メモリー部に蓄積する構成とすることもできる。
【００１４】
また、上記構成における各行の信号を行メモリ部に入力して出力信号線に読み出す構成に代えて、以下のように、各列の信号を列メモリ部に入力して出力信号線に読み出す構成とすることもできる。
【００１５】
その場合、本発明の固体撮像装置は、入射光を光電変換する複数の単位画素が二次元状に、色配列の異なる複数の列をグループ単位として少なくとも一グループが配列された撮像部と、前記撮像部における少なくとも一列の画素信号が蓄積される列メモリー部と、前記列メモリー部に蓄積された画素信号が読み出される出力信号線と、前記出力信号線の信号が出力される出力部とを備える。
【００１６】
そして、前記出力信号線及び出力部を複数組有し、前記各グループにおける各列の画素信号を読み出す際に、第１の列における各画素の画素信号を前記列メモリー部に蓄積して、第１の色の、隣接しない複数画素から得られる各画素信号を順次連続して第１の前記出力信号線に読み出すとともに、前記第１の色とは異なる同一色の、隣接しない複数画素から得られる各画素信号を順次連続して第２の前記出力信号線に読み出し、前記第１の列と色配列が異なる第２の列の前記画素信号を読み出す際、前記第２の列において前記第１の色の画素が前記第１の列における前記第１の色の画素とは異なる行に配置されている場合に、前記第２の列における前記第１の色の少なくとも一つの画素の画素信号を、前記第１の列内の前記第１の色が蓄積されていた前記列メモリー部内の蓄積位置に蓄積した後、前記第１の出力信号線に読み出す構成とする。
【００１７】
各グループにおける画素信号を読み出すための構成を、以下のようにすることもできる。すなわち、前記出力信号線及び出力部を複数組有し、前記各グループにおける各列の画素信号を読み出す際に、第１の列における前記複数の色の各画素の画素信号を前記列メモリー部に蓄積して、蓄積された前記各画素信号を各色別に異なる前記出力信号線に読み出し、その後、前記第１の列と色配列が異なる第２の列の前記画素信号を読み出す際、前記第２の列において前記第１の色の画素が前記第１の列における前記第１の色の画素とは異なる行に配置されている場合に、前記第２の列における前記第１の色の少なくとも一つの画素の画素信号を、前記第１の列内の前記第１の色が蓄積されていた前記列メモリー部内の蓄積位置に蓄積した後、前記第１の出力信号線に読み出す構成とする。
【００１８】
上記の構成において、前記第１の列における全ての前記第１の色の画素の画素信号を同時に前記列メモリー部に蓄積し、前記第１の出力信号線に順次読み出した後、前記第２の列における全ての前記第１の色の画素の画素信号を同時に前記列メモリー部に蓄積する構成とすることもできる。
【００１９】
以上のいずれかの構成の固体撮像装置を搭載して、カメラまたはカメラシステムを構成することができる。
【００２０】
以下に、図面を参照して、本発明の実施の形態について説明する。
【００２１】
図１は、本発明の一実施の形態におけるＭＯＳ型固体撮像装置１２および外部回路１３の構成を示す。図３に示した従来例の装置と同様の要素には同一の参照符号を付して、説明の重複を避ける。
【００２２】
この固体撮像装置１２における図３の従来例装置と異なる構成は、２本の出力信号線６ａ、６ｂを有する点である。各出力信号線６ａ、６ｂに対して、出力アンプ７ａ、７ｂが各々接続されている。行メモリー部４と出力信号線６ａ、６ｂの間には、読み出しスイッチ１５ａ、１５ｂが挿入されている。また、垂直信号線３と行メモリー部４の間に、メモリー選択スイッチ１４ａ、１４ｂが挿入されている。メモリー選択スイッチ１４ａ、１４ｂにより、各垂直信号線３は、行メモリー部４内の蓄積位置（Ｇ）または蓄積位置（Ｂ／Ｒ）に切り換えて接続される。外部回路１３においては、色選択スイッチ１１ａ〜１１ｃが、出力アンプ７ａ、７ｂの出力信号に対応した区分により接続されている。
【００２３】
画素１は、従来例と同様、赤（Ｒ）、緑（Ｇ）、青（Ｂ）の３原色がベイヤー配列されている。行メモリー部４に蓄積された画素信号は、それぞれ２本の出力信号線６ａ、６ｂに振り分けて読み出される。そのため、行メモリー部４の蓄積位置（Ｇ）は、読み出しスイッチ１５ａを介して出力信号線６ａに接続されるとともに、蓄積位置（Ｂ／Ｒ）は、読み出しスイッチ１５ｂを介して出力信号線６ｂに接続されている。隣接する読み出しスイッチ１５ａと１５ｂを対として、各対毎に順次、水平シフトレジスタ５から出力される読み出しパルスＳ１〜Ｓ３が供給される。
【００２４】
本実施の形態において、各行の画素１の画素信号を出力信号線６ａ、６ｂに読み出す動作は次のとおりである。まずｎ行目の画素信号が、垂直シフトレジスタ２により垂直信号線３に読み出される。このとき、メモリー選択スイッチ１４ａはオンであり、メモリー選択スイッチ１４ｂはオフとなっている。従って、垂直信号線３に読み出された信号は、メモリー選択スイッチ１４ａにより決定される行メモリー部４の各蓄積位置に移される。次にシフトレジスタ５からの読み出しパルスＳ１、Ｓ２、Ｓ３により、読み出しスイッチ１５ａ、１５ｂの各対が順次オンする。それにより、各読み出しパルスＳ１〜Ｓ３毎に、行メモリー部４に蓄えられたｎ行内の隣接する異なる色の画素信号が、それぞれ色別に出力信号線６ａ、６ｂに同時に読み出される。従って、出力信号線６ａ、６ｂにはそれぞれ、各読み出しパルスＳ１〜Ｓ３毎に同一色の画素信号が連続して読み出される。
【００２５】
続いて、ｎ＋１行目の画素信号が垂直シフトレジスタ２により垂直信号線３に読み出される。このとき、メモリー選択スイッチ１４ａはオフであり、メモリー選択スイッチ１４ｂはオンとなっている。従って、垂直信号線３と行メモリー部４内の蓄積位置の接続関係が、ｎ行目の場合と逆転する。それにより、ｎ行目とｎ＋１行目に共通する色については、ｎ行目とｎ＋１行目の同じ色の画素の信号が、行メモリー部４内の同一の蓄積位置に移される。次にシフトレジスタ５からの読み出しパルスＳ１、Ｓ２、Ｓ３により、読み出しスイッチ１５ａ、１５ｂの各対が順次オンする。それにより、各読み出しパルスＳ１〜Ｓ３毎に、行メモリー部４に蓄えられたｎ＋１行内の隣接する異なる色の画素信号が、それぞれ色別に出力信号線６ａ、６ｂに同時に読み出される。従って、出力信号線６ａ、６ｂにはそれぞれ、各読み出しパルスＳ１〜Ｓ３毎に同一色の画素信号が連続して読み出される。また、上述の蓄積位置の切り換えにより、ｎ行目とｎ＋１行目の共通の色については、その同一の色が連続して出力信号線６ａに読み出される。
【００２６】
例えば図１に示す画素配列の場合、ｎ行目の画素信号については、メモリー選択スイッチ１４ａがオンして、緑（Ｇ２）が行メモリー部４の蓄積位置（Ｇ）に、青（Ｂ）が蓄積位置（Ｂ／Ｒ）に移される。そしてシフトレジスタ５からの読み出しパルスＳ１、Ｓ２、Ｓ３により、出力信号線６ａには緑（Ｇ２）の信号が、出力信号線６ｂには青（Ｂ）が読み出されて、それぞれ出力アンプ７ａ、７ｂから出力される。ｎ＋１行目の画素信号については、メモリー選択スイッチ１４ｂがオンして、ｎ行目の緑（Ｇ２）と同じ色である緑（Ｇ１）の信号が、行メモリー部４内の同じ蓄積位置（Ｇ）に移され、赤（Ｒ）が蓄積位置（Ｂ／Ｒ）に移される。そして水平シフトレジスタ５の出力Ｓ１、Ｓ２、Ｓ３により、出力信号線６ａには緑（Ｇ１）が、出力信号線６ｂには赤（Ｒ）が読み出される。
【００２７】
その結果、出力信号線６ａには常に緑（Ｇ）が読み出され、出力アンプ７ａからは常に緑（Ｇ）が出力される。出力信号線６ｂには、ｎ行目では青（Ｂ）が連続して読み出され、ｎ＋１行目では、赤（Ｒ）が連続して読み出され、出力アンプ７ｂからは青（Ｂ）と赤（Ｒ）が行毎に交互に出力される。
【００２８】
以上のように、異なる行から得られる同一の色の信号が、行メモリー部４の同一の蓄積位置、同一の出力信号線、同一の出力アンプを通して読み出されるため、行メモリー部、出力信号線、出力アンプのバラツキの影響を受けることがなく、高画質を実現することができる。
【００２９】
出力アンプ７ａ、７ｂから出力された出力信号は、外部回路１３に入力され、色選択スイッチ１１ａ、１１ｂ、１１ｃにより色別に切り換えられて、外部メモリー１０の各色の位置にに蓄積される。本実施の形態においては、まず、出力アンプ７ａの信号の場合は、常に緑（Ｇ）が出力されるため、出力アンプ７ａの信号から入力される色選択スイッチ１１ａは常にオンとしておくことができ、切り換える必要がない。出力アンプ７ｂの信号の場合は、ｎ行目では青（Ｂ）の色選択スイッチ１１ｂがオンされ、青（Ｂ）の出力信号が全て外部メモリー１０の青（Ｂ）の位置に読み込まれる。ｎ＋１行目では赤（Ｒ）の色選択スイッチ１１ｃがオンされ、赤（Ｒ）の出力信号が全て外部メモリー１０の赤（Ｒ）の位置に読み込まれる。このように、色選択スイッチ１１ｂ、１１ｃは行の切り換え時のみに切り換えられれば良い。
【００３０】
図２は、本実施の形態におけるＭＯＳ型固体撮像装置１２の出力アンプ７ａ、７ｂにおける出力波形を示す。図１に示された画素配列の場合、ｎ行目とｎ＋１行目の画素の信号として、出力アンプ７ａからは図２（ａ）に示すように、Ｇ２（ｎ）、Ｇ２（ｎ）  、Ｇ２（ｎ）、Ｇ１（ｎ＋１）、Ｇ１（ｎ＋１）、Ｇ１（ｎ＋１）が順次出力され、出力アンプ７ｂからは図２（ｂ）に示すように、Ｂ（ｎ）、Ｂ  （ｎ）  、Ｂ  （ｎ）、Ｒ  （ｎ＋１）、Ｒ  （ｎ＋１）、Ｒ  （ｎ＋１）が順次出力される。このように、出力アンプ７ａ、７ｂのそれぞれの出力信号としては、同一行において隣り合わない同一の色信号が連続して出力される。
【００３１】
この結果上述のとおり、外部回路１３の外部メモリー１０に画素信号を蓄積する場合に、出力アンプ７ａの信号の場合は、ｎ行目とｎ＋１行目のどちらにおいても色選択スイッチ１１ａを切り換える必要がなく、出力アンプ７ｂの信号の場合は、ｎ行目とｎ＋１行目の行切り換え時の２回のみ切り換え動作を行なえば良い。従って、従来、２つの行の画素信号を外部メモリーに読みこむために、色選択スイッチの切り換え回数が１２回必要であったのに対して、本実施の形態では２回に減らすことができ、色選択スイッチ１１ａ、１１ｂ、１１ｃの低速化を実現することができる。
【００３２】
また、出力信号では同一の色が連続し、隣の色信号の影響を受けないため、混色を防ぎ高画質化を実現することができる。特に、信号出力を高速化した時には、色選択スイッチ１１ａ、１１ｂ、１１ｃの低速化や、混色防止による高画質化の効果が大きい。
【００３３】
上記実施の形態では、各行において各色は全て連続して読み出されており、この場合が最も効果が大きいが、少なくとも２つの同一の信号を連続して出力する場合であれば、色選択スイッチの低速化や高画質化の効果が得られる。
【００３４】
また上記実施の形態のように、各行の信号を行メモリ部に入力して出力信号線に読み出す場合に限らず、各列の信号を列メモリ部に入力して出力信号線で読み出す場合にも、本発明を同様に適用することができる。
【００３５】
また上記実施の形態のように、外部回路として各色毎の外部メモリーを具備する場合に限らず、固体撮像装置の中に外部回路を内蔵する場合にも、本発明を同様に適用することができる。
【００３６】
また上記実施の形態のように、Ｒ、Ｇ、Ｂの原色カラーフィルターを有する場合に限らず、シアン（Ｃｙ）、マゼンタ（Ｍｇ）、イエロー（Ｙｅ）、グリーン（Ｇ）などの補色カラーフィルターを有する場合にも、本発明を同様に適用することができる。
【００３７】
また上記実施の形態では、光学的に黒の画素（オプチカル、ブラック）を有することが示されていないが、撮像部の周辺や撮像部内に光学的に黒の画素の領域が配置され、水平の出力信号線内に、色信号以外に光学的に黒の画素の信号が読み出される場合でも、本発明を同様に適用することができる。
【００３８】
【発明の効果】
本発明の固体撮像装置によれば、並列出力ができるので高速出力を可能とし、各画素信号毎に外部回路において色選択スイッチを高速で動作させることを要さず、色の切り替わり時のみの低速スイッチ動作でよいため、固体撮像装置を含むカメラシステム全体の高速化を図ることが容易になる。
【００３９】
また、各行または各列の画素信号のうち、同一の色信号を別々の出力アンプから出力し、また隣接する行の同一色を同一の出力部から出力するので、時間軸上で隣接する画素信号の色が同一となり、相互の色の影響を受ける混色を防ぎ、高画質化を実現することができる。
【００４０】
また、異なる行にある同一の色を、行メモリーの同一の位置に蓄積し、同一の出力信号線に読み出し、同一の出力アンプを通して出力するため、行メモリー、出力信号線、出力アンプ部のバラツキの影響を受けることがなく、高画質を実現することができる。
【図面の簡単な説明】
【図１】本発明の一実施の形態におけるＭＯＳ型固体撮像装置および外部回路の構成を示す図
【図２】図１のＭＯＳ型固体撮像装置における出力アンプの出力波形図
【図３】従来例のＭＯＳ型固体撮像装置および外部回路の構成を示す図
【図４】図３のＭＯＳ型固体撮像装置における出力アンプの出力波形図
【符号の説明】
１    画素
２    垂直シフトレジスタ
３    垂直信号線
４    行メモリー部
５    水平シフトレジスタ
６、６ａ、６ｂ    出力信号線
７、７ａ、７ｂ    出力アンプ
８、１２    固体撮像装置
９、１３    外部回路
１０  外部メモリー
１１、１１ａ、１１ｂ、１１ｃ  色選択スイッチ
１４ａ、１４ｂ  メモリー選択スイッチ
１５、１５ａ、１５ｂ  読み出しスイッチ
【図１】
2004221771.tif 000003
【図２】
2004221771.tif 000004
【図３】
2004221771.tif 000005
【図４】
2004221771.tif 000006